(57)【要約】      （修正有）【課題】係員により搬送路から取り除かれた紙幣の管理に有益な紙幣取扱装置を提供する。【解決手段】正券紙幣の紙幣収納カセットと、損券紙幣の損券収納カセット１５０と、紙幣取扱に際しての紙幣の搬送経路を識別部１２０を経由して形成する搬送部と、搬送ジャムを起こすことなく識別部１２０による計数と正損の判定を受けた紙幣を正損判定結果に応じていずれかのカセット収納搬送する搬送制御部と、搬送ジャムの起因となった除去紙幣の投入を受ける除去紙幣投入部と、投入済みの前記除去紙幣を識別部１２０を経由して搬送することで、除去紙幣についての識別部１２０による枚数計数と正損の判定を行う除去紙幣識別実行部とを備え、除去紙幣についても、識別部１２０による紙幣の正損の判定結果に応じて紙幣の収納搬送を行う。【選択図】図４
2014002521.tif 000002
【特許請求の範囲】
【請求項１】
紙幣の入金と出金に関与する紙幣受入部を備え、該紙幣受入部からの紙幣受入取扱と該紙幣受入部への紙幣払出取扱を行う紙幣取扱装置であって、
正券の紙幣を収納する紙幣収納カセットと、
損券の紙幣を収納する損券収納カセットと、
前記紙幣受入取扱と紙幣払出取扱に際しての紙幣の搬送経路を、搬送される紙幣から少なくとも紙幣の正損を判定する識別部を経由して形成する搬送部と、
搬送ジャムを起こすことなく前記識別部による計数と正損の判定を受けた紙幣について、前記識別部による紙幣の正損の判定を経て、前記紙幣収納カセットと前記損券収納カセットのいずれかに対しての紙幣の収納搬送を、前記搬送経路を介して行う搬送制御部と、
搬送ジャムの起因となった紙幣を少なくとも含んで前記搬送経路から除去された除去紙幣の投入を受ける除去紙幣投入部と、
該除去紙幣投入部に投入済みの前記除去紙幣を前記識別部を経由して搬送することで、前記除去紙幣についての前記識別部による枚数計数と正損の判定を行う除去紙幣識別実行部とを備え、
前記搬送制御部は、前記除去紙幣についても、前記識別部による紙幣の正損の判定を経て前記紙幣の収納搬送を行う
紙幣取扱装置。
【請求項２】
前記搬送制御部は、前記除去紙幣についての前記正損の判定を経た紙幣の前記収納搬送を行うに当たり、前記識別部により正券と判定された前記除去紙幣についても、前記識別部により損券と判定された前記除去紙幣と同様に、前記損券収納カセットに収納搬送する請求項１に記載の紙幣取扱装置。
【請求項３】
前記搬送制御部は、前記除去紙幣についての前記正損の判定を経た紙幣の前記収納搬送を行うに当たり、前記識別部による紙幣の正損の判定が不明とされた不明券については、前記紙幣収納カセットおよび前記損券収納カセットとは別の不明券カセットに収納する請求項１または請求項２に記載の紙幣取扱装置。
【請求項４】
前記除去紙幣投入部は、投入済みの前記除去紙幣を前記不明券カセットに直接収納する直接収納部を有する請求項３に記載の紙幣取扱装置。
【請求項５】
請求項３または請求項４に記載の紙幣取扱装置であって、
前記除去紙幣識別実行部により前記除去紙幣について前記識別部から得られた枚数計数と正損の判定、および前記不明券カセットに収納された不明券枚数とを記憶する除去紙幣判定記憶部を備える
紙幣取扱装置。
【請求項６】
前記不明券カセットは、着脱自在とされている請求項３ないし請求項５のいずれか一項に記載の紙幣取扱装置。
【発明の詳細な説明】
【技術分野】
【０００１】
本発明は、紙幣取扱装置に関する。
【背景技術】
【０００２】
この種の紙幣取扱装置は、自動取引装置（Automated Teller Machine;ＡＴＭ）や両替機、銀行員などの使用する紙幣入出金機、自動券売機といった形態で広く普及している。そして、紙幣の搬送ジャムに伴う紙幣の計数処理を行う技術として、特開２０１０−１０８１９７号公報がある（特許文献１）。
【０００３】
この公報では、搬送ジャムの原因となった紙幣を、係員の手を経て損券収納部やリジェクト紙幣収納部に収納し、その収納枚数をジャム発生前後の収納部収納枚数や一時保留部に保留した際の一時保留枚数等により算出している。
【先行技術文献】
【特許文献】
【０００４】
【特許文献１】特開２０１０−１０８１９７号公報
【発明の概要】
【発明が解決しようとする課題】
【０００５】
前記特許文献の技術では、搬送ジャムの原因となった紙幣を係員により搬送路から取り除いて、その取り除かれた紙幣（除去紙幣）の枚数を既述したように算出する。しかしながら、前記特許文献の取り扱い手法では、除去紙幣を搬送路から取り除いて損券収納部等に直接収納するので、除去紙幣の正損の判定を処理装置付属の識別機器により行わない。このため、除去紙幣が直接収納された例えば損券収納部では、正損判定を受けない紙幣と、それ以前に損券判定済みの紙幣とが混在することになり、除去紙幣の正損の判定管理等について改善の余地が残されている。
【０００６】
そこで、本発明は、係員により搬送路から取り除かれた紙幣の管理に有益な紙幣取扱装置を提供する。
【課題を解決するための手段】
【０００７】
上記した課題を解決するために、本発明は、紙幣の入金と出金に関与する紙幣受入部を備え、該紙幣受入部からの紙幣受入取扱と該紙幣受入部への紙幣払出取扱を行う紙幣取扱装置であって、正券の紙幣を収納する紙幣収納カセットと、損券の紙幣を収納する損券収納カセットと、前記紙幣受入取扱と紙幣払出取扱に際しての紙幣の搬送経路を、搬送される紙幣から少なくとも紙幣の正損を判定する識別部を経由して形成する搬送部と、搬送ジャムを起こすことなく前記識別部による計数と正損の判定を受けた紙幣について、前記識別部による紙幣の正損の判定を経て、前記紙幣収納カセットと前記損券収納カセットのいずれかに対しての紙幣の収納搬送を、前記搬送経路を介して行う搬送制御部と、搬送ジャムの起因となった紙幣を少なくとも含んで前記搬送経路から除去された除去紙幣の投入を受ける除去紙幣投入部と、該除去紙幣投入部に投入済みの前記除去紙幣を前記識別部を経由して搬送することで、前記除去紙幣についての前記識別部による枚数計数と正損の判定を行う除去紙幣識別実行部とを備え、前記搬送制御部は、前記除去紙幣についても、前記識別部による紙幣の正損の判定を経て前記紙幣の収納搬送を行う。
【発明の効果】
【０００８】
本発明によれば、搬送ジャムの起因となったために紙幣の搬送経路から除去された除去紙幣であっても、その除去紙幣についての枚数管理や正損の判定管理が可能な紙幣取扱装置を提供することができる。
【図面の簡単な説明】
【０００９】
【図１】実施例１の紙幣取扱装置としての自動取引装置（ＡＴＭ）１０の構成を概略的に示す説明図である。
【図２】ＡＴＭ１０の背面をその扉を開けた状態で概略的に示す背面側外観図である。
【図３】ＡＴＭ１０の構成を機能的に示す説明図である。
【図４】実施例における紙幣処理装置１００の構成を概略的に示す説明図である。
【図５】再計数紙幣投入部３００と不明券保管カセット３２０の構成とその動作を概略的に示す説明図である。
【図６】入金処理の流れを示すフローチャートである。
【図７】ジャム紙幣計数処理の全体の流れを示すフローチャートである。
【図８】搬送ジャム発生時における係員操作部２５０でのエラー表示の様子を示す説明図である。
【図９】ジャム紙幣ＪＳの除去待機後の初期処理（ステップＳ５１０）の詳細を示すフローチャートである。
【図１０】ジャム紙幣除去後の係員操作部２５０での係員入力項目を示す説明図である。
【図１１】ジャム紙幣投入後の係員の作業内容を係員操作部２５０に表示した指示画面である。
【図１２】一括処理としての２次処理の流れを示すフローチャートである。
【図１３】逐次処理としての３次処理の流れを示すフローチャートである。
【図１４】再計数紙幣投入部３００から搬送される複数枚のジャム紙幣ＪＳについてその搬送順に得られた計数結果と金種ごとに得られた記憶内容を示す説明図である。
【図１５】再計数紙幣投入部３００から搬送される複数枚のジャム紙幣ＪＳについての金種およびその正損や不明の判定に応じた記憶内容を示す説明図である。
【図１６】実施例２でのジャム紙幣ＪＳの計数処理の要部を示すフロートである。
【図１７】実施例３でのジャム紙幣計数処理の全体の流れを示すフローチャートである。
【図１８】実施例３でのジャム紙幣ＪＳの除去待機後の初期処理（ステップＳ５１０）の詳細を示すフローチャートである。
【発明を実施するための形態】
【００１０】
以下、本発明による紙幣取扱装置の実施例について、図面を用いて説明する。
【００１１】
［実施例１］
図１は実施例１の紙幣取扱装置としての自動取引装置（ＡＴＭ）１０の構成を概略的に示す説明図、図２はＡＴＭ１０の背面をその扉を開けた状態で概略的に示す背面側外観図、図３はＡＴＭ１０の構成を機能的に示す説明図である。ＡＴＭ１０は、例えば金融機関や小売店、公共施設等に設置され、顧客の操作に従い、金融機関等の提供する現金出納等のサービスを自動で提供する装置である。ＡＴＭ１０は、現金自動預け払い機とも呼ばれる。
【００１２】
図１〜図３に示すように、ＡＴＭ１０は、顧客の取引カードや取引明細票を処理するカード・明細票処理装置２１０と、通帳を処理する通帳処理装置２２０と、硬貨を取り扱う硬貨処理装置２３０と、紙幣を取り扱う紙幣処理装置１００と、取引に必要な情報を表示すると共に顧客の操作を受け付けるユーザーインターフェースとしての顧客操作部２４０と、係員の操作のための係員操作部２５０と、ＡＴＭ１０の各部を制御する本体制御部４００と、を備えている。係員操作部２５０は、後述のジャム紙幣計数処理等の際に、係員に作業に必要な情報を表示するすると共に係員の操作を受け付けるユーザーインターフェースとして構成されている。ＡＴＭ１０は、その背面側に背面扉１２を開閉自在に備え、当該扉と装置筐体内に、上記の紙幣処理装置１００と、明細票処理装置２１０と、通帳処理装置２２０と、硬貨処理装置２３０と、係員操作部２５０の他、後述の紙幣処理装置制御部１９０を備える。
【００１３】
紙幣処理装置１００の備える紙幣処理装置制御部１９０は、ＣＰＵとプログラムやデータ等を記憶するメモリーとを有し、本体制御部４００による制御の下、紙幣の装填、入金（収納）、出金（繰り出し）、ジャム紙幣計数処理、精査といった処理を行なう。なお、紙幣処理装置制御部１９０は、本体制御部４００の制御の下、本発明における紙幣からの紙幣情報取得、および枚数計数や正損判定結果等の紙幣管理、これらに伴う紙幣搬送としての機能を果たす搬送制御部１９２と、搬送ジャム紙幣についての枚数計数や正損判定を行うようにする機能を果たす除去紙幣識別実行部１９４を備える。
【００１４】
図４は実施例における紙幣処理装置１００の構成を概略的に示す説明図である。紙幣処理装置１００は、紙幣Ｓの入口および出口としての紙幣受入部１１０と、搬送路（Ｌ１〜Ｌ６等）を有し搬送路に沿って紙幣Ｓを搬送する搬送機構１７０と、図示しない撮像部を有し搬送路上を搬送される紙幣Ｓの真偽・金種の識別、記番号の読み取り取得、計数、および紙幣の正損判定といった処理を行う識別部１２０と、紙幣Ｓを一時的に保持する一時保留部１３０と、紙幣Ｓを金種別に収納する３つの金種別カセット１４０と、識別部１２０により損券と判定された紙幣Ｓ（リジェクト紙幣）を回収する損券収納カセット１５０と、金種別カセット１４０に補充する紙幣Ｓや金種別カセット１４０から回収した紙幣Ｓを収納する補充回収カセット１６０と、カセットへの収納或いはカセットからの繰り出しの際に搬送ジャムを起こした紙幣（ジャム紙幣ＪＳ）が係員により収納される再計数紙幣投入部３００と、識別部１２０により正損の判定が不明とされた紙幣Ｓ（不明券）を回収する不明券保管カセット３２０とを備えている。上記のリジェクト紙幣は、識別部１２０で真正な真券とされたもの破れ等の損傷により今後の入出金運用に不的確な紙幣、折れ曲がったりして真偽が不明な紙幣、カセットからの繰り出しの際に重なり合った紙幣などをいう。不明券は、搬送ジャムにより係員により一旦、搬送機構１７０の搬送路から除外された紙幣Ｓのうち、識別部１２０による正損の判定が不明とされた紙幣をいう。なお、図４では、紙幣処理装置制御部１９０（図３参照）の図示は省略している。
【００１５】
金種別カセット１４０は、紙幣Ｓを入出金可能な状態で搬送路と接続され、搬送路から紙幣Ｓを受け入れて収納すると共に、紙幣Ｓを繰り出して搬送路上に送り出す。本実施例では、三つの金種別カセット１４０を一群として、第１金種カセット１４０Ａ〜第３金種カセット１４０Ｃで構成し、第１金種カセット１４０Ａは万円札専用のカセットとされ、第２金種カセット１４０Ｂは五千円札専用のカセットとされ、第３金種カセット１４０Ｃは千円札専用のカセットである。以下、第１金種カセット１４０Ａ〜第３金種カセット１４０Ｃを総称する際には、金種別カセット１４０と称し、金種ごとのカセットについては、第１金種カセット１４０Ａ、第２金種カセット１４０Ｂ、第３金種カセット１４０Ｃと個別に称する。
【００１６】
金種別カセット１４０は、搬送路との接続位置から見て奥側（カセット底部側）から手前側（カセット天井側）に向けて順に紙幣Ｓを並べて収納し、手前側から奥側に向けて順に紙幣Ｓを１枚ずつ繰り出す。従って、金種別カセット１４０からの紙幣Ｓの繰り出しは、金種別カセット１４０への紙幣Ｓの収納順序と逆の順序で（金種別カセット１４０への収納順がより後である紙幣Ｓほど先に繰り出されるように）実行される。
【００１７】
損券収納カセット１５０は、紙幣Ｓの入金のみが可能な状態で搬送路と接続され、搬送路からリジェクト紙幣を受け入れて収納する。補充回収カセット１６０は、セパレータ１６２によって、補充する紙幣Ｓや回収した紙幣Ｓを収納する補充回収部１６３と、紙幣を金種別カセット１４０に補充する紙幣装填処理の際に補充回収部１６３から繰り出された紙幣Ｓのうちで識別部１２０により異常と識別された紙幣Ｓ（補充リジェクト紙幣）を収納する補充リジェクト部１６４と、に分割されている。補充回収部１６３は、紙幣Ｓを入出金可能な状態で搬送路と接続され、紙幣Ｓを１枚ずつ繰り出して搬送路上に送り出すと共に、搬送路から紙幣Ｓを受け入れて収納する。補充リジェクト部１６４は、紙幣Ｓの入金のみが可能な状態で搬送路と接続され、搬送路から補充リジェクト紙幣を受け入れて収納する。搬送機構１７０は、例えばローラーやベルト、搬送経路を切り替えるゲート等を用いて構成され、上記の各カセットへの紙幣収納や各カセットからの紙幣繰り出しに関与する搬送路Ｌ１〜Ｌ６を形成する。図４には、搬送機構１７０の各搬送路における紙幣Ｓの搬送方向を矢印で示している。そして、搬送機構１７０は、図示した搬送路Ｌ１〜Ｌ６ごとの搬送経路の他、適宜な搬送路を繋げた搬送経路を形成して、紙幣受入部１１０から入金した紙幣Ｓの金種ごとのカセットへの収納搬送や、金種ごとのカセットから繰り出した紙幣Ｓを紙幣受入部１１０に搬送する出金搬送、紙幣受入部１１０から入金した紙幣Ｓの内で識別部１２０にて真偽不明或いは損券とされた紙幣Ｓの返却搬送、後述する除去紙幣の識別搬送等を行う。
【００１８】
顧客操作部２４０（図２参照）は、タッチパネルを有し、タッチパネル上に必要な操作内容を表示して顧客の操作を案内する。例えば、顧客操作部２４０は、預け入れ、引き出し、振り込み等の取引種別の入力や、暗証番号、金額の入力等を案内する画面を表示し、顧客により入力された指示を本体制御部４００に伝える。
【００１９】
係員操作部２５０（図２参照）は、銀行の係員等の作業者がＡＴＭ１０を運用、保守するための操作部であり、タッチパネル構成とされている。そして、この係員操作部２５０は、紙幣の装填や精査、或いは除去紙幣の識別収納などの指示を行なうための入力部や、装置状態、運用モード、装填や精査の処理結果、障害個所等を表示する。表示の態様については後述する。なお、係員操作部２５０をＡＴＭ１０の背面扉１２に実装することもできる。
【００２０】
図５は再計数紙幣投入部３００と不明券保管カセット３２０の構成とその動作を概略的に示す説明図である。図示するように、再計数紙幣投入部３００は、搬送機構１７０が形成する搬送路Ｌ６（図４参照）の紙幣入口側に位置し、紙幣付勢板３０１と、開閉扉３０２と、搬送案内板３０４とを備える。紙幣付勢板３０１は、再計数紙幣投入部３００の内部に組み込まれ、上方側のトップ位置３０１ｔｐから不明券保管カセット３２０の天井側のボトム位置３０１ｂｐまでモーター３０１ｍにより上下動可能とされている。
【００２１】
開閉扉３０２は、再計数紙幣投入部３００の側壁をなして開閉自在とされ、その開放により、搬送案内板３０４の上へのジャム紙幣ＪＳの投入口を形成する。開閉扉３０２の開閉は、係員による手動操作にてなされるが、モーター等を用いて自動開閉とすることもできる。搬送案内板３０４は、再計数紙幣投入部３００の内部に位置して通常は図示するノーマル位置３０４ｎｐに位置し、この位置にあるとき、搬送機構１７０の搬送路Ｌ６における紙幣入口に向けて傾斜する。この紙幣入口には、搬送路上下に搬送ローラー３０８と搬送ローラー３０９とが組み込まれており、搬送案内板３０４は、これらローラーおよび搬送路Ｌ６の紙幣入口にジャム紙幣ＪＳを案内する。この場合、搬送案内板３０４は、ジャム紙幣ＪＳを不明券保管カセット３２０に直接投入する際、再計数紙幣投入部３００の側壁に重なる投入位置３０４ｔｐに位置する。搬送案内板３０４は、図示しないクランク機構を介してシリンダー３０４ｓと接続され、シリンダー３０４ｓの進退駆動により、ノーマル位置３０４ｎｐから投入位置３０４ｔｐへの回転駆動、およびその逆に駆動する。
【００２２】
不明券保管カセット３２０は、その天井側に紙幣通過孔３２１を備え、紙幣処理装置１００に対して、着脱自在とされている。そして、この不明券保管カセット３２０は、搬送機構１７０の搬送路Ｌ６における紙幣出口から上下の搬送ローラー３１０と搬送ローラー３１１とで排出されたジャム紙幣ＪＳが紙幣通過孔３２１を通過するよう、装着される。紙幣処理装置１００は、不明券保管カセット３２０の装着箇所に定位置センサー３１２と、紙幣検知センサー３１３とを備える。両センサーは、光学式或いは磁気式の近接センサーとして構成され、その検知信号を紙幣処理装置１００の紙幣処理装置制御部１９０（図３参照）、詳しくは紙幣処理装置制御部１９０の搬送制御部１９２や除去紙幣識別実行部１９４に出力する。定位置センサー３１２は、ジャム紙幣ＪＳが紙幣通過孔３２１を通過できる定位置に不明券保管カセット３２０が装着されたか否かを検知する。そして、除去紙幣識別実行部１９４は、定位置センサー３１２にて不明券保管カセット３２０の装着が検知されない状態では、後述のジャム紙幣計数処理を実行しない。紙幣検知センサー３１３は、不明券保管カセット３２０の内部に収納された後述の不明券の収納状態を検知し、紙幣処理装置制御部１９０は、紙幣検知センサー３１３による所定枚数の不明券検知により、不明券保管カセット３２０の内部の不明券取り出し等を、係員やホストコンピューター５００に報知する。
【００２３】
上記の再計数紙幣投入部３００と不明券保管カセット３２０におけるジャム紙幣ＪＳの挙動について説明する。開閉扉３０２が開放されて再計数紙幣投入部３００に投入されたジャム紙幣ＪＳは、ノーマル位置３０４ｎｐに位置する搬送案内板３０４の上に重なって堆積する。紙幣付勢板３０１は、除去紙幣識別実行部１９４の制御下でのモーター３０１ｍの駆動力を受けて降下し、搬送案内板３０４に堆積済みのジャム紙幣ＪＳを搬送案内板３０４に向けて付勢する。これにより、搬送案内板３０４に堆積済みのジャム紙幣ＪＳは、一枚ずつ、搬送ローラー３０８と搬送ローラー３０９の間の搬送路Ｌ６の紙幣入口に案内され、搬送路Ｌ６に沿って搬送される。この搬送路Ｌ６は、図４に示すように、識別部１２０を経由した後に、金種別カセット１４０と損券収納カセット１５０、および不明券保管カセット３２０に到る搬送経路とされている。よって、再計数紙幣投入部３００から搬送機構１７０の搬送路Ｌ６に搬送されたジャム紙幣ＪＳは、識別部１２０の通過の間にその枚数および正損の判定を受けることになる。そして、ジャム紙幣ＪＳは、正損判定の結果に応じて、後述するように金種別カセット１４０或いは、損券収納カセット１５０、もしくは不明券保管カセット３２０に収納搬送される。
【００２４】
搬送路Ｌ６の紙幣入口に搬送案内板３０４および紙幣付勢板３０１により案内されたジャム紙幣ＪＳが仮に搬送路Ｌ６に搬送不可となると、搬送案内板３０４は、ノーマル位置３０４ｎｐから投入位置３０４ｔｐに移動する。よって、この搬送不可のジャム紙幣ＪＳは、再計数紙幣投入部３００の下方の不明券保管カセット３２０に、紙幣通過孔３２１を経て直接収納される。この際、紙幣付勢板３０１は、ボトム位置３０１ｂｐまで降下するので、不明券保管カセット３２０に到る前に再計数紙幣投入部３００の内部に留まったジャム紙幣ＪＳは、強制的に不明券保管カセット３２０に収納される。上記の紙幣挙動については、紙幣処理装置制御部１９０が本体制御部４００の制御下でなす後述のジャム紙幣ＪＳの計数処理と合わせて説明する。
【００２５】
本体制御部４００（図２参照）は、ＣＰＵとプログラムやデータ等を記憶するメモリーとを有し、ＣＰＵが記憶されたプログラムを読み出して実行することにより、各種処理・取引の制御を実現する。また、本体制御部４００は、図示しないインターフェースを介してホストコンピューター５００に接続され、ホストコンピューター５００との間で必要な情報のやりとりを行なう。例えば、本体制御部４００は、ＡＴＭ１０の運用状況下や後述のジャム紙幣計数処理を経た際の装置内の計数データ等を、ホストコンピューター５００に送信する。よって、ホストコンピューター５００の管理部署、例えば銀行では、ＡＴＭ１０における各カセット毎の紙幣収納状況を把握できる。
【００２６】
本実施例のＡＴＭ１０は、その有する紙幣処理装置１００において搬送ジャム発生時の紙幣計数について特徴を有するが、紙幣計数の様子を顧客からの預入入金を例に採り説明する。図６は入金処理の流れを示すフローチャートである。この入金処理は、図１や図４に示す顧客操作部２４０にて顧客が預け入りボタン操作を行ったことを契機に開始される。そして、当該処理は、本体制御部４００（図３）の制御の下、紙幣処理装置制御部１９０（および紙幣処理装置制御部１９０に制御される紙幣処理装置１００の各部）にて実行される。なお、説明の便宜上、紙幣搬送の間に搬送ジャムは起きないことを想定し、搬送ジャムが起きたときの紙幣搬送およびその計数処理については後述する。
【００２７】
紙幣処理装置制御部１９０は、上記ボタン操作を経て紙幣受入部１１０の図示しない開閉扉を開放すると共に、顧客による紙幣入金の完了まで待機する（ステップＳ１００）。顧客が顧客操作部２４０の完了ボタンや扉閉めボタン等を操作すると、紙幣処理装置制御部１９０は、入金が完了したとして、その入金紙幣を一時保留部１３０に搬送して一時保管する（ステップＳ１０２）。この際、紙幣は、図４に示す搬送路Ｌ１を介して一時保留部１３０に一枚ずつ搬送され、識別部１２０は、搬送される紙幣を搬送順毎に計数しつつ、紙幣から各種情報を読み込む。具体的には、識別部１２０は、紙幣に固有の識別情報の他、紙幣の真偽、紙幣の正損に加え、金種も読み込み、これら読み込まれた情報は、紙幣処理装置制御部１９０にて記憶される。よって、紙幣処理装置制御部１９０は、顧客から入金を受けた紙幣の総金額、金種ごとの枚数、および紙幣搬送順の紙幣の真偽と正損を記憶できる。このため、既にカセット毎に記憶済みの収納枚数と合算することで、紙幣ことの枚数管理を図ることができる。
【００２８】
一時保留部１３０への一時保管後、紙幣処理装置制御部１９０は、一時保管済みの紙幣を金種ごとに金種別カセット１４０に収納搬送し（ステップＳ１０４）、本ルーチンを終了する。このステップＳ１０４での紙幣搬送は、一時保留部１３０から識別部１２０を経て金種別カセット１４０の金種ごとのカセット、および損券収納カセット１５０までの搬送路Ｌ２を介して行われる。つまり、搬送ジャムを起こすことなく一時保留部１３０から識別部１２０を経て搬送される紙幣（入金紙幣）については、紙幣処理装置制御部１９０は、この入金紙幣を、識別部１２０での計数とその真偽や正損等の判定結果に応じて、金種別カセット１４０の金種ごとのカセット或いは損券収納カセット１５０に収納搬送する。例えば、真券で且つ正券であれば、この判定結果により、当該紙幣は、その金種に応じた金種別カセット１４０のカセットに収納搬送される。また、真券ではあるもの、損券とされた紙幣は、損券収納カセット１５０に収納搬送される。なお、真券でない紙幣や正損の判定が不能な入金紙幣は、一時保留部１３０から図４の搬送路Ｌ５を経て、紙幣受入部１１０に返却搬送され、顧客に返却される。
【００２９】
次に、紙幣搬送過程で搬送ジャムが起きた場合のジャム紙幣計数処理について説明する。図７はジャム紙幣計数処理の全体の流れを示すフローチャートである。このジャム紙幣計数処理は、本体制御部４００（図３）の制御の下、紙幣処理装置制御部１９０（および紙幣処理装置制御部１９０に制御される紙幣処理装置１００の各部）によって所定時間毎に繰り返し実行される。
【００３０】
ジャム紙幣計数処理が開始されると、紙幣処理装置制御部１９０は、まず、搬送ジャムが発生しているか否かを判定する（ステップＳ４００）。紙幣処理装置制御部１９０は、紙幣処理装置１００が備える搬送機構１７０の搬送路中の各種の搬送ローラーの回転状況や紙幣搬送の様子等を光学系や電気系の各種センサーにてスキャンし、そのスキャン結果に基づいてステップＳ４００の判定を行う。ステップＳ４００で搬送ジャムが発生していないと否定判定すれば、紙幣処理装置制御部１９０は、何の処理も行うことなく本処理を終了し、次回のタイミングでのジャム指定計数処理（ステップＳ４００以降）に備える。
【００３１】
ステップＳ４００にて搬送ジャムが発生したと肯定判定すると、紙幣処理装置制御部１９０は、係員操作部２５０にエラー表示を行う（ステップＳ４０２）。図８は搬送ジャム発生時における係員操作部２５０でのエラー表示の様子を示す説明図である。図示するように、このエラー表示には、エラーコード５０１と、係員第１指示５０２と、係員第２指示５０３と、復帰ボタン５０４と、枚数入力ボタン５０５とが含まれる。エラーコード５０１は、ステップＳ４００にて検知した搬送ジャムの発生箇所や発生原因等をコード表示する。係員は、このエラーコード５０１を見て、ジャム復旧のための必要作業を認知する。係員第１指示５０２と係員第２指示５０３は、発生したジャムに対する係員作業の内容を示しており、前者は、搬送機構１７０からのジャム紙幣ＪＳの除去実行とその後の作業を指示する。後者は、実際に搬送ジャムは発生していないにも拘わらずセンサーがジャム発生と誤検知した場合の作業を指示する。係員は、搬送機構１７０における搬送ジャムの発生の有無を自らの目で確かめた後に、実際に搬送ジャムが発生していれば、係員第１指示５０２の指示に従って作業を継続する。搬送ジャムがセンサーの誤検知であれば、係員第２指示５０３の指示に従って作業を継続する。なお、本実施例では、不明券保管カセット３２０が定位置センサー３１２にて正常に紙幣処理装置１００に装着されている状況下で、ジャム紙幣ＪＳの計数処理を行う。よって、紙幣処理装置制御部１９０は、定位置センサー３１２から正常セットの信号を受け取っている場合に限り、ステップＳ４０２以降の処理を行い、定位置センサー３１２からの正常信号が未了であれば、不明券保管カセット３２０を正常装着するような報知を係員操作部２５０に表示するようにできる。
【００３２】
紙幣処理装置制御部１９０は、ステップＳ４０２での上記表示に続き、ジャム紙幣ＪＳが搬送機構１７０に実在するか否かを判定する（ステップＳ４０４）。この判定は、図８に示した復帰ボタン５０４或いは枚数入力ボタン５０５の係員によるボタン操作により下される。つまり、係員が係員第２指示５０３の指示に従って復帰ボタン５０４を操作すれば、紙幣処理装置制御部１９０は、ジャム紙幣ＪＳは実在しないと否定判定する。一方、係員が係員第１指示５０２の指示に従って枚数入力ボタン５０５を操作すれば、紙幣処理装置制御部１９０は、実際に搬送ジャムが起きて搬送機構１７０にはジャム紙幣ＪＳが実在すると肯定判定する。
【００３３】
紙幣処理装置制御部１９０は、係員による復帰ボタン５０４の操作を受けてジャム紙幣ＪＳが実在しないと判定すると、搬送機構１７０を含む紙幣搬送系の復旧処理を行い（ステップＳ４０６）、本ルーチンを一旦終了する。この復旧処理では、搬送機構１７０に含まれる各種搬送ローラーの原点復帰のための駆動処理や、センサーの検知信号の初期化処理等がなされ、紙幣処理装置制御部１９０は、ＡＴＭ１０の運用開始に備える。
【００３４】
紙幣処理装置制御部１９０は、係員による枚数入力ボタン５０５の操作を受けてジャム紙幣ＪＳが実在すると判定すると、係員による搬送機構１７０からのジャム紙幣ＪＳの除去を待機する（ステップＳ４１０）。この除去待機は、係員による枚数入力ボタン５０５のボタン操作にて解かれる。
【００３５】
次いで、紙幣処理装置制御部１９０は、搬送機構１７０から実際に除去されたジャム紙幣ＪＳについて、その搬送および計数のための処理を実行する（ステップＳ５００）。紙幣処理装置制御部１９０は、ステップＳ５００の処理において、ジャム紙幣ＪＳの除去待機後の係員による所定操作と関連した初期処理（ステップＳ５１０）と、初期処理を経たジャム紙幣ＪＳの一括処理（ステップＳ５３０）、或いは初期処理を経たジャム紙幣ＪＳの逐次処理（ステップＳ５４０）を後述するように実行して、本ルーチンを一旦終了する。
【００３６】
図９はジャム紙幣ＪＳの除去待機後の初期処理（ステップＳ５１０）の詳細を示すフローチャートである。紙幣処理装置制御部１９０は、係員による枚数入力ボタン５０５の操作がなされてジャム紙幣ＪＳの除去待機を解くと、係員操作部２５０に除去紙幣の金種と金種ごとの枚数の入力を促す入力画面を表示する（ステップＳ５１１）。図１０はジャム紙幣除去後の係員操作部２５０での係員入力項目を示す説明図である。図示するように、この入力画面には、係員指示５１０と、金種表示５１１と、枚数入力ボックス５１２と、枚数増減ボタン５１３と、完了ボタン５１４とが含まれる。係員指示５１０は、ジャム紙幣除去後の係員作業の内容を指示する。金種表示５１１は、ＡＴＭ１０にて取り扱う紙幣の金種と正損の判定不能な不明券とを示し、枚数入力ボックス５１２には、係員が枚数増減ボタン５１３を用いて入力した紙幣枚数が表示されることになる。紙幣処理装置制御部１９０は、この入力された金種ごとの枚数を記憶し、後述の計数管理に用いる。係員は、除去済みのジャム紙幣について、係員指示５１０の指示に従って、金種ごとの枚数を入力した後、完了ボタン５１４を操作する。この場合、係員による除去対象となる紙幣は、搬送機構１７０において搬送ジャムを起こした紙幣の他、搬送機構１７０での搬送過程にある紙幣とすることができる。より詳しくは、識別部１２０より下流側に残っている紙幣を、搬送ジャムを起こした紙幣と含めて除去する。こうすれば、識別部１２０を既に通過してその計数と正損判定済みの紙幣を除去しないようにできる。なお、このように除去しなかった紙幣は、正損や金額の読み込み結果に応じて、金種別カセット１４０や損券収納カセット１５０に別途、収納搬送するようにすればよい。また、搬送機構１７０に残っている全ての紙幣を除去対象とすることもできる。
【００３７】
紙幣処理装置制御部１９０は、係員による完了ボタン５１４の操作がなされるまで、除去済みのジャム紙幣ＪＳについての金種ごとの枚数入力と、再計数紙幣投入部３００への係員によるジャム紙幣ＪＳの投入とを待機する（ステップＳ５１２）。紙幣処理装置制御部１９０は、上記ボタンの操作を経て枚数入力と紙幣投入の待機を解き、係員操作部２５０に処理選択画面を表示する（ステップＳ５１３）。図１１はジャム紙幣投入後の係員の作業内容を係員操作部２５０に表示した指示画面である。図示するように、この指示画面には、係員第１指示５２０と、係員第２指示５２２と、再計数ボタン５２４と、完了ボタン５２６とが含まれる。係員第１指示５２０と係員第２指示５２２は、再計数紙幣投入部３００へのジャム紙幣ＪＳの投入後の係員作業の内容を区別して示し、前者は、投入済みジャム紙幣ＪＳを識別部１２０による計数と正損等の判定を経て金種別カセット１４０等に収納搬送する場合の作業を指示する。後者は、投入済みジャム紙幣ＪＳを識別部１２０による計数と正損等の判定を経ないで、不明券保管カセット３２０に直接、ジャム紙幣ＪＳを収納する場合の作業を指示する。係員は、除去済みのジャム紙幣ＪＳを再計数紙幣投入部３００に投入する際に各紙幣の正損の状況を自らの目で直接認知できるので、搬送ジャムを引き起こすほどの損傷がなければ、係員第１指示５２０の指示に従って再計数ボタン５２４を操作する。損傷が著しい等のために、再度、搬送ジャムが起きると危惧されれば、係員は、係員第２指示５２２の指示に従って完了ボタン５２６を操作する。
【００３８】
紙幣処理装置制御部１９０は、ステップＳ５１３での処理選択画面の表示に続いて、再計数ボタン５２４と完了ボタン５２６のいずれのボタン操作がなされるかを判定する（ステップＳ５１４）。そして、紙幣処理装置制御部１９０は、そのボタン操作に応じて、投入済みジャム紙幣ＪＳの一括処理としての２次処理（ステップＳ５３０）、或いは、投入済みジャム紙幣ＪＳの逐次処理としての３次処理（ステップＳ５５０）のいずれかに進む。
【００３９】
図１２は一括処理としての２次処理の流れを示すフローチャートである。紙幣処理装置制御部１９０は、ステップＳ５１４にて完了ボタン５２６が操作されたと判定すると、再計数紙幣投入部３００に投入済みジャム紙幣ＪＳを、再計数紙幣投入部３００から不明券保管カセット３２０に直接投入する（ステップＳ５３１）。つまり、紙幣処理装置制御部１９０は、図５で説明したように、搬送案内板３０４をノーマル位置３０４ｎｐから投入位置３０４ｔｐまでシリンダー３０４ｓにより駆動して、ノーマル位置３０４ｎｐの搬送案内板３０４に堆積済みのジャム紙幣ＪＳの全てを、不明券保管カセット３２０に紙幣通過孔３２１から収納する。この場合、紙幣処理装置制御部１９０は、紙幣付勢板３０１をモーター３０１ｍにてトップ位置３０１ｔｐからボトム位置３０１ｂｐまで降下させることで、ジャム紙幣ＪＳが不明券保管カセット３２０に収納されないまま残ってしまわないようにする。その後、紙幣処理装置制御部１９０は、紙幣付勢板３０１をトップ位置３０１ｔｐまで戻し、搬送案内板３０４についてもノーマル位置３０４ｎｐまで戻してステップＳ５３１の処理を終了する。
【００４０】
紙幣処理装置制御部１９０は、ステップＳ５３１に続き、不明券保管カセット３２０に直接収納したジャム紙幣ＪＳについての計数・記憶を行う（ステップＳ５３２）。ステップＳ５３１にて不明券保管カセット３２０に再計数紙幣投入部３００から直接収納されたジャム紙幣ＪＳは、識別部１２０による計数と正損等の判定を受けていない。よって、本実施例では、識別部１２０による正損判定の未実施のジャム紙幣ＪＳを、紙幣の正損判定が不能な不明券として扱い、その枚数Ｃに計数枚数Ａをセットして、不明券がＣ枚存在したと記憶する。この場合の計数枚数Ａは、図９のステップＳ５１２にて係員より入力された金種ごとのジャム紙幣ＪＳの枚数の総和である。
【００４１】
紙幣処理装置制御部１９０は、不明券としてジャム紙幣ＪＳを不明券保管カセット３２０に投入した上で上記のようにその枚数を記憶すると、既述したステップＳ４０６と同様に、搬送機構１７０を含む紙幣搬送系の復旧処理を行い（ステップＳ５３３）、本ルーチンを一旦終了する。
【００４２】
一方、ステップＳ５１４において、係員の再計数ボタン５２４の操作を経て紙幣処理装置制御部１９０がジャム紙幣ＪＳの逐次処理としての３次処理に進むと、次のようになる。図１３は逐次処理としての３次処理の流れを示すフローチャートである。紙幣処理装置制御部１９０は、ステップＳ５１４にて再計数ボタン５２４が操作されたと判定すると、投入済みジャム紙幣ＪＳの逐次処理による識別部１２０での計数と正損判定に備え、既述したステップＳ４０６と同様に、搬送機構１７０を含む紙幣搬送系の復旧処理を行う（ステップＳ５３３）。
【００４３】
紙幣処理装置制御部１９０は、搬送系の復旧処理に続き、紙幣カウンタｎの値を初期値ゼロにセットする（ステップＳ５５２）。この紙幣カウンタｎは、再計数紙幣投入部３００に投入済みのジャム紙幣ＪＳが搬送ローラー３０８と搬送ローラー３０９により搬送機構１７０の搬送路Ｌ６に搬送される度に、後述するようにカウントアップされる。よって、紙幣カウンタｎの値は、再計数紙幣投入部３００に投入済みのジャム紙幣ＪＳの搬送枚数を表すことになる。紙幣処理装置制御部１９０は、紙幣カウンタｎのセットに続き、再計数紙幣投入部３００に投入済みのジャム紙幣ＪＳの搬送が完了したか否かを判定する（ステップＳ５５３）。このステップＳ５５３における肯定判定は、上記の紙幣カウンタｎが、図９のステップＳ５１２にて係員より入力された金種ごとのジャム紙幣ＪＳの枚数の総和Ａに達したこと、或いは、後述するようにジャム紙幣ＪＳが不明券保管カセット３２０に直接収納されたことにより下される。以下の説明に当たっては、再計数紙幣投入部３００に投入済みのジャム紙幣ＪＳが一枚ずつ搬送機構１７０の搬送路Ｌ６に搬送されていることを前提とし、この搬送異常が起きた場合については、後述する。
【００４４】
紙幣処理装置制御部１９０は、ステップＳ５５３にてジャム紙幣ＪＳの搬送は未完了であると否定判定すると、ノーマル位置３０４ｎｐの搬送案内板３０４に堆積したジャム紙幣ＪＳを一枚ずつ搬送機構１７０の搬送路Ｌ６に繰り出し搬送する（ステップＳ５５４）。この繰り出し搬送は、搬送ローラー３０８と搬送ローラー３０９をノーマル位置３０４ｎｐの搬送案内板３０４からジャム紙幣ＪＳを一枚分繰り出しできるよう駆動することでなされる。
【００４５】
次に、紙幣処理装置制御部１９０は、ジャム紙幣ＪＳの枚様毎の繰り出し搬送が正常になされたか否かを、例えば搬送ローラー３０８の周辺の光学式或いは磁気式のセンサー等にて判定する（ステップＳ５５５）。この判定は、搬送路Ｌ６に含まれる識別部１２０からの計数有無からも下すことができる。そして、紙幣処理装置制御部１９０は、正常に搬送路Ｌ６に繰り出し搬送されたジャム紙幣ＪＳを、搬送路Ｌ６の経路に設けた搬送ローラーにて搬送路Ｌ６の識別部１２０を経由するよう搬送する（ステップＳ５５６）。次いで、紙幣処理装置制御部１９０は、識別部１２０による紙幣情報の読み出し結果に基づいて、ジャム紙幣ＪＳが真券であるか否かを判定する（ステップＳ５５７）。ここで、真券であると判定すると、紙幣処理装置制御部１９０は、紙幣カウンタｎを値１だけインクリメントし（ステップＳ５５８）、再計数紙幣投入部３００から搬送路Ｌ６を介して搬送されてきたジャム紙幣ＪＳの金種と正損の結果を記憶する（ステップＳ５５９）。
【００４６】
このステップＳ５５９では、搬送されてきた総数Ｂ枚のジャム紙幣ＪＳごとにその金種と正損の結果が得られる。このため、総数Ｂ枚のジャム紙幣ＪＳについて、その搬送が繰り返される毎にデータが蓄積されるので、結果的には、再計数紙幣投入部３００に投入されて搬送路Ｌ６に搬送された全てのジャム紙幣ＪＳ（Ｂ枚）についての金種ごとの枚数とその正損判定結果が得られる。図１４は再計数紙幣投入部３００から搬送される複数枚のジャム紙幣ＪＳについてその搬送順に得られた計数結果と金種ごとに得られた記憶内容を示す説明図である。図示するように、最初に搬送されたジャム紙幣ＪＳ（ｎ＝１）は、識別部１２０にて、その金種が１万円であって正券である。２番目に搬送されたジャム紙幣ＪＳ（ｎ＝２）は、識別部１２０にて、その金種が５千円であって損券である。こうした搬送順のデータ蓄積により、紙幣処理装置制御部１９０は、搬送されてきたジャム紙幣ＪＳについて、その金種ごとの正損の判定結果とその枚数を記憶する。
【００４７】
紙幣処理装置制御部１９０は、上記の記憶に続き、識別部１２０を通過したジャム紙幣ＪＳを搬送路Ｌ６を介して損券収納カセット１５０まで搬送し、当該紙幣を損券収納カセット１５０に収納する（ステップＳ５６０）。つまり、本計数処理は、一旦、搬送ジャムを引き起こしたジャム紙幣ＪＳについてのものであるので、ステップＳ５５７にて真券且つ正券であっても、ＡＴＭ１０の運用から除外すべく、損券として扱って、損券収納カセット１５０に収納する。その後は、ステップＳ５５３に移行して、再計数紙幣投入部３００に投入済みの全てのジャム紙幣ＪＳについて、上記処理を繰り返す。なお、上記のように計数と正損判定の記憶対象となるジャム紙幣ＪＳの枚数Ｂは、再計数紙幣投入部３００に投入済みの全てのジャム紙幣ＪＳについてステップＳ５５８以降の処理がなされることで、図９のステップＳ５１２にて係員より入力された金種ごとのジャム紙幣ＪＳの枚数の総和（枚数Ａ）まで取り得る。この場合、紙幣カウンタｎにあっても、その値は枚数Ａと一致する。
【００４８】
上記したステップＳ５５３〜ステップＳ５６０までの各処理が順次進むのは、再計数紙幣投入部３００から搬送路Ｌ６に順次繰り出し搬送されるジャム紙幣ＪＳがその繰り出しも搬送も正常になされ、ジャム紙幣ＪＳが真券である場合である。今、Ｂ枚のジャム紙幣ＪＳについてステップＳ５５３〜ステップＳ５６０までの各処理が順次進み、Ｂ＋１枚目のジャム紙幣ＪＳがステップＳ５５７にて真券ではあるもののその正損判定が不能であったとする。そうすると、紙幣処理装置制御部１９０は、正損不明な紙幣を運用から除外すべく、そのジャム紙幣ＪＳを搬送路Ｌ６を介して不明券保管カセット３２０に収納搬送し（ステップＳ５６３）、ステップＳ５５３に移行する。この場合の不明券保管カセット３２０へのジャム紙幣ＪＳの搬送計数は、特段必要としない。これは、先のステップＳ５５９にてそれまでのジャム紙幣ＪＳの損券扱い枚数（Ｂ）が既知であり、再計数紙幣投入部３００から図７のジャム紙幣計数処理の対象となるジャム紙幣ＪＳの全枚数（Ａ）も、係員料力により既知であるので、後述のステップＳ５６１にて判明するからである。また、紙幣処理装置制御部１９０は、ステップＳ５５５にてジャム紙幣ＪＳの搬送路Ｌ６への繰り出しが正常に起きないと判定すると、既述した図１２の一括処理でなすステップＳ５３３と同様に、再計数紙幣投入部３００に残っているジャム紙幣ＪＳを、再計数紙幣投入部３００から不明券保管カセット３２０に直接投入し（ステップＳ５６２）、ステップＳ５５３に移行する。この場合についても、上記の理由により、ジャム紙幣計数は特段必要としない。
【００４９】
ステップＳ５６２を経てステップＳ５５３に移行した場合、および、再計数紙幣投入部３００に投入済みの全てのジャム紙幣ＪＳ（枚数Ａ）についてステップＳ５５４〜５６０の処理が繰り返されて紙幣カウンタｎが枚数Ａと一致した場合では、ステップＳ５５３にて、否定判定される。紙幣処理装置制御部１９０は、この否定判定に続いて、今までの処理により不明券保管カセット３２０に収納搬送した不明券の枚数Ｃを、計算してこれを記憶し（ステップＳ５６１）、本ルーチンを一旦終了する。この不明券の枚数Ｃは、再計数紙幣投入部３００に投入済みの全てのジャム紙幣ＪＳの枚数Ａから、識別部１２０による計数や正損判定を経て搬送路Ｌ６を介して損券収納カセット１５０に収納されたジャム紙幣ＪＳの上記の枚数Ｂ（図１４参照）を減算することで求まる。そして、紙幣処理装置制御部１９０は、この不明券の枚数Ｃについても、既述したジャム紙幣ＪＳについての金種ごとの計数結果と合わせて記憶する。図１５は再計数紙幣投入部３００から搬送される複数枚のジャム紙幣ＪＳについての金種およびその正損や不明の判定に応じた記憶内容を示す説明図である。
【００５０】
以上説明したように、本実施例のＡＴＭ１０では、その有する紙幣処理装置１００における搬送機構１７０を用いて顧客の入金紙幣を取り扱うに当たり、紙幣の搬送ジャムが起きなければ、搬送される入金紙幣を搬送順に識別部１２０にて計数しつつ、その真偽や正損等を判定する。そして、紙幣処理装置制御部１９０は、入金紙幣の総金額、金種ごとの枚数、および紙幣の紙幣を搬送順の真偽と正損を記憶して、既にカセット毎に記憶済みの収納枚数と合算することで、紙幣ことの枚数管理を図る。しかも、本実施例のＡＴＭ１０は、搬送ジャムを起こすことなく識別部１２０による計数と正損判定を受けた入金紙幣を、紙幣処理装置制御部１９０にて、識別部１２０での真偽や正損の判定結果に応じて、金種別カセット１４０の金種ごとのカセット或いは損券収納カセット１５０に収納搬送する（ステップＳ１０４）。
【００５１】
その一方、本実施例のＡＴＭ１０は、搬送機構１７０にて搬送ジャムが起きると、その搬送ジャムの起因となった紙幣（ジャム紙幣ＪＳ）を含んで係員により搬送機構１７０から除去し、その除去されたジャム紙幣ＪＳの投入を再計数紙幣投入部３００（図５）にて受け付ける。その上で、再計数紙幣投入部３００に投入済みのジャム紙幣ＪＳを、再計数紙幣投入部３００から搬送機構１７０の搬送路Ｌ６に繰り出し搬送し、この繰り出し搬送したジャム紙幣ＪＳについても、搬送路Ｌ６の識別部１２０にてその計数と正損判定を行う（ステップＳ５５６〜５５９）。そして、このジャム紙幣ＪＳについては、識別部１２０による紙幣正損の判定不能なものであれば、不明券保管カセット３２０に搬送路Ｌ６を経て収納搬送し（ステップＳ５６３）、真券のジャム紙幣ＪＳを損券収納カセット１５０に収納搬送する（ステップＳ５６０）。しかも、搬送機構１７０から取り除いたジャム紙幣ＪＳの枚数Ａと、損券収納カセット１５０に収納したジャム紙幣ＪＳの枚数Ｂとから、不明券保管カセット３２０に収納した不明券であるジャム紙幣ＪＳの枚数についても管理する（ステップＳ５６１）。このため、本実施例のＡＴＭ１０によれば、搬送機構１７０における搬送ジャムの起因となったために搬送機構１７０から取り除いたジャム紙幣ＪＳを、その枚数に拘わらず、枚数管理や正損の判定管理、詳しくは不明券判定管理を行うことができる。例えば、搬送機構１７０での紙幣搬送において、複数枚の紙幣が重なって搬送されるいわゆる連れ去りが起き、これにより搬送ジャムが発生することがある。こうした場合には、複数枚の紙幣が必然的に伴うが、こうした搬送ジャムにおいても、本実施例のＡＴＭ１０によれば、搬送ジャムを起こした紙幣を含む搬送途中の複数枚の除去紙幣（ジャム紙幣ＪＳ）についての枚数や正損の判定管理ができる。
【００５２】
また、本実施例のＡＴＭ１０では、再計数紙幣投入部３００に投入したジャム紙幣ＪＳを識別部１２０による計数と正損判定を経てカセットに収納搬送するに当たり、識別部１２０にて真券および正券と判定されたジャム紙幣ＪＳについても、識別部１２０にて損券と判定された紙幣と同様に損券収納カセット１５０に収納する。搬送ジャムを引き起こしたジャム紙幣ＪＳは、その後の運用において搬送ジャムを再度招くことが危惧されるが、本実施例によれば、こうした事態を未然に防ぐことが可能となる。
【００５３】
また、本実施例のＡＴＭ１０では、識別部１２０による紙幣の正損の判定が不明とされた不明券については、紙幣取引運用で常用される金種別カセット１４０や損券収納カセット１５０とは別の不明券保管カセット３２０に収納する。このため、正損が不明な不明券は、紙幣取引運用において搬送ジャムを招いたり、金種ごとの紙幣収納枚数や金額の紙幣管理に支障を招きやすいが、本実施例のＡＴＭ１０によれば、こうした事態を未然に防ぐことができる。
【００５４】
また、本実施例のＡＴＭ１０では、搬送機構１７０で搬送ジャムを起こした紙幣をジャム紙幣ＪＳとして除外した上で、ステップＳ５１１〜５６３までの処理により、その除外したジャム紙幣ＪＳを、紙幣処理装置制御部１９０の制御の下で、損券収納カセット１５０と不明券保管カセット３２０のいずれかに振り分けて収納する。そして、こうしたジャム紙幣ＪＳの振分収納に、係員を介在させない。仮に、搬送機構１７０から除外したジャム紙幣ＪＳの振分収納先を係員の作業に任せるとすれば、係員の錯誤により、不明券保管カセット３２０に収納すべき不明券を、本来収納すべきでない損券収納カセット１５０に収納してしまうことも起き得る。しかしながら、本実施例のＡＴＭ１０によれば、こうした事態を回避できる。
【００５５】
また、本実施例のＡＴＭ１０では、上記したジャム紙幣ＪＳについての識別部１２０による計数および正損判定を行うほか、再計数紙幣投入部３００に投入済みの全てのジャム紙幣ＪＳ（図５参照）を、その枚数を求めた上で、直接、不明券保管カセット３２０に収納する（ステップＳ５３１）。搬送ジャムを招いたジャム紙幣ＪＳは、その後の運用において再度、搬送ジャムを引き起こし易いが、再計数紙幣投入部３００に投入済みの全てのジャム紙幣ＪＳ（図５参照）を不明券保管カセット３２０に直接収納することで、ジャム紙幣ＪＳの除去後の搬送ジャムの発生を防止できる。しかも、その枚数も既知にするので、不明券保管カセット３２０に収納済みのジャム紙幣ＪＳの枚数に応じて、当該紙幣の係員処理、例えば、不明券保管カセット３２０からの取り出し、管理センターへの返却等を促すことができる。
【００５６】
また、本実施例のＡＴＭ１０では、再計数紙幣投入部３００から不明券保管カセット３２０へのジャム紙幣ＪＳの収納を図るに当たり、紙幣付勢板３０１を不明券保管カセット３２０における紙幣通過孔３２１の近傍まで降下させる。よって、ジャム紙幣ＪＳが仮に搬送路Ｌ６に搬送不可となったり、不明券保管カセット３２０に到る前に再計数紙幣投入部３００の内部に留まったとしても、これらジャム紙幣ＪＳを強制的に不明券保管カセット３２０に収納できる。
【００５７】
また、本実施例のＡＴＭ１０では、不明券保管カセット３２０を紙幣処理装置１００に対して着脱自在とした上で、不明券保管カセット３２０が正常に装着されていなければ、既述したジャム紙幣ＪＳの識別部１２０による計数や正損判定を行わないようにした。よって、不明券保管カセット３２０が不完全な装着のまま既述したジャム紙幣計数処理を行わないので、ステップＳ５６３において不明券を不明券保管カセット３２０に収納搬送する際の収納ミスを防止できる。
【００５８】
また、本実施例のＡＴＭ１０では、搬送機構１７０から除外したジャム紙幣ＪＳについて、識別部１２０による計数と正損判定をした上で損券収納カセット１５０に収納搬送したジャム紙幣ＪＳの金種ごとの枚数、および正損が不明であった不明券枚数を記憶する（図１４〜図１５参照）。しかも、搬送ジャム発生前においては、金種別カセット１４０や損券収納カセット１５０における金種ごとの収納枚数を管理している。よって、本実施例のＡＴＭ１０によれば、搬送ジャム発生後の運用時における紙幣管理の適正化を図ることができる。
【００５９】
［実施例２］
本実施例では、再計数紙幣投入部３００に投入したジャム紙幣ＪＳを搬送路Ｌ６に搬送して識別部１２０によりその計数と正損判定を行った上で、正損判定に応じてジャム紙幣ＪＳの収納搬送先のカセットを選定する点に特徴がある。図１６は実施例２でのジャム紙幣ＪＳの計数処理の要部を示すフロートである。図示するように、この実施例２では、図１３で示した逐次処理としての３次処理において、ステップＳ５５７の識別部１２０による紙幣判定に続き、紙幣カウンタｎのインクリメント（ステップＳ５５８）、ジャム紙幣ＪＳの金種と正損の結果の記憶（ステップＳ５５９）を行い、その後に、ジャム紙幣ＪＳが正券であるか損券であるかの判定を行う（ステップＳ５７０）。ここで、紙幣処理装置制御部１９０は、識別部１２０の判定結果が損券であれば、そのジャム紙幣ＪＳを損券収納カセット１５０まで搬送して、当該紙幣を損券収納カセット１５０に収納する（ステップＳ５６０）。一方、ジャム紙幣ＪＳが正券であれば、そのジャム紙幣ＪＳを金種に応じた金種別カセット１４０の第１金種カセット１４０Ａ〜１４０Ｃのいずれかに搬送して、当該紙幣を金種別カセット１４０に金種に応じて収納する（ステップＳ５７１）。こうすれば、搬送機構１７０から除外したジャム紙幣ＪＳであっても、当該紙幣が正券であれば、今後の運用において搬送ジャムを引き起こしがたいので、その後の紙幣取扱運用に組み込むことができる。しかも、金種別カセット１４０に収納したジャム紙幣ＪＳの枚数は既知であるので（図１４）、紙幣管理上の支障を来すことはない。
【００６０】
［実施例３］
本実施例では、次のことを想定している。一般に、ジャム紙幣ＪＳの損傷やしわなどが著しいと再度搬送ジャムを引き起こし易い。また、搬送機構１７０から除去したジャム紙幣ＪＳを、通常の取扱運用で用いる金種別カセット１４０や損券収納カセット１５０に係員の手作業で収納したのでは、これら通常運用カセットに、正損が未定の紙幣（即ち、除去済みのジャム紙幣ＪＳ）と運用過程での収納紙幣が混在することになる。或いは、係員の錯誤により、誤ったカセットにジャム紙幣ＪＳが収納されることも起き得る。よって、本実施例では、搬送機構１７０から除去したジャム紙幣ＪＳについては、その全てを一度に不明券保管カセット３２０に収納搬送することを想定している。図１７は実施例３でのジャム紙幣計数処理の全体の流れを示すフローチャート、図１８は実施例３でのジャム紙幣ＪＳの除去待機後の初期処理（ステップＳ５１０）の詳細を示すフローチャートである。
【００６１】
図１７に示すように、実施例３では、図７で説明したステップＳ４００〜４１０までの処理に続くジャム紙幣ＪＳについての搬送および計数のための処理（ステップＳ５００）において、ジャム紙幣ＪＳの除去待機後の係員による所定操作と関連した初期処理（ステップＳ５１０）と、初期処理を経たジャム紙幣ＪＳの一括処理（ステップＳ５３０）とを実行する。そして、実施例３では、図１８に示すように、図９で説明したジャム紙幣ＪＳの除去待機後の初期処理（ステップＳ５１０）において、係員操作部２５０に除去紙幣の金種と金種ごとの枚数の入力を促す図１０の入力画面を表示する（ステップＳ５１１）。その後、紙幣処理装置制御部１９０は、係員による完了ボタン５１４の操作がなされるまで、除去済みのジャム紙幣ＪＳについての金種ごとの枚数入力と、再計数紙幣投入部３００への係員によるジャム紙幣ＪＳの投入とを待機する（ステップＳ５１２）。この待機の間に、係員によるジャム紙幣ＪＳの金種ごとの枚数入力と、再計数紙幣投入部３００へのジャム紙幣ＪＳの投入がなされ、完了ボタン５１４の操作があると、紙幣処理装置制御部１９０は、既述した図１２のジャム紙幣ＪＳの２次処理（ステップＳ５３０）を実行する。この際、既述した図１１の作業指示は不要のため、表示されない。
【００６２】
この実施例３では、再計数紙幣投入部３００に投入済みのジャム紙幣ＪＳを全て不明券保管カセット３２０に直接収納するので、搬送路Ｌ６やその出入り口の搬送ローラー３０８等は不要となる。
【００６３】
また、この実施例３では、搬送機構１７０で搬送ジャムを起こしたために除外したジャム紙幣ＪＳの全てを、不明券保管カセット３２０に収納し、ジャム紙幣ＪＳの収納に、係員を介在させない。仮に、搬送機構１７０から除外したジャム紙幣ＪＳの振分収納先を係員の作業に任せるとすれば、係員の錯誤により、不明券保管カセット３２０に収納すべき不明券を、本来収納すべきでない損券収納カセット１５０に収納してしまうことも起き得る。しかしながら、本実施例のＡＴＭ１０によれば、こうした事態を回避できる。
【００６４】
以上、本発明は上記した実施例に限定されるものではなく、様々な変形例が含まれる。例えば、上記実施例では、ジャム紙幣計数処理のステップＳ５５５においてジャム紙幣ＪＳの正常繰り出しが不可であると、ステップＳ５６２では、その時点で再計数紙幣投入部３００に残っているジャム紙幣ＪＳを全て不明券保管カセット３２０に直接投入したが、次のようにすることもできる。まず、再計数紙幣投入部３００の紙幣付勢板３０１と搬送案内板３０４とについて、ジャム紙幣ＪＳの搬送路Ｌ６への一枚ずつの繰り出しと、その一枚のジャム紙幣ＪＳが繰り出し不要であれば、当該一枚の繰り出し不能のジャム紙幣ＪＳだけを不明券保管カセット３２０に投入できるよう、機器構成する。その上で、紙幣処理装置制御部１９０は、ステップＳ５５５においてジャム紙幣ＪＳの正常繰り出しが不可であると、ステップＳ５６２では、その繰り出し不可であったジャム紙幣ＪＳだけを不明券保管カセット３２０に直接投入する。そして、その次のジャム紙幣ＪＳについても、ステップＳ５５５での繰り出し正否判定を行う。このように構成すれば、搬送ジャムを引き起こしたと想定されるジャム紙幣ＪＳだけを、不明券保管カセット３２０に収納保管でき、他のジャム紙幣ＪＳについては、損券収納カセット１５０或いは金種別カセット１４０に収納して、紙幣取扱運用を図ることができる。
【００６５】
この他、上記の実施例では、再計数紙幣投入部３００と不明券保管カセット３２０とを、既存のＡＴＭ１０で用いられる機器構成に付加したが、再計数紙幣投入部３００については、紙幣受入部１１０を代用できる。この場合には、既述した係員操作部２５０でのエラー表示（図８）や、入力画面（図１０）、指示画面（図１１）を、顧客操作部２４０に表示する。そして、不明券保管カセット３２０については、紙幣受入部１１０からの直接のジャム紙幣ＪＳの投入が可能となるよう設置する。その上で、搬送機構１７０については、搬送機構１７０から除去されて紙幣受入部１１０に投入されたジャム紙幣ＪＳが、識別部１２０を経て、金種別カセット１４０と損券収納カセット１５０および不明券保管カセット３２０に到る搬送路を形成すればよい。
【００６６】
また、上記した実施例は、本発明を分かり易く説明するために詳細にその構成等につき説明したのであり、必ずしも実施例に記した全ての構成を備えるものに限定されるものではない。また、ある実施例の構成の一部を他の実施例の構成に置き換えることも可能であり、ある実施例の構成に他の実施例の構成を加えることも可能である。また、各実施例の構成の一部について、他の構成の追加、削除、置換をすることも可能である。
更に、上記の各構成、機能、処理部、処理手段等は、それらの一部または全部を、例えば集積回路で設計等することによりハードウェアで実現してもよい。また、上記の各構成、機能等は、プロセッサがそれぞれの機能を実現するプログラムを解釈し、実行することによりソフトウェアで実現してもよい。各機能を実現するプログラム、テープ、ファイル等の情報は、メモリーや、ハードディスク、ＳＳＤ（Solid State Drive）等の記録装置、または、ＩＣカード、ＳＤカード、ＤＶＤ等の記録媒体におくことができる。
また、制御線や情報線は説明上必要と考えられるものを示しており、製品上、必ずしも全ての制御線や情報線を示しているとは限らない。実際には殆ど全ての構成が相互に接続されていると考えてよい。
【符号の説明】
【００６７】
１０…自動取引装置（ＡＴＭ）
１２…背面扉
１００…紙幣処理装置
１１０…紙幣受入部
１２０…識別部
１３０…一時保留部
１４０…金種別カセット
１４０Ａ…第１金種カセット
１４０Ｂ…第２金種カセット
１４０Ｃ…第３金種カセット
１５０…損券収納カセット
１６０…補充回収カセット
１６２…セパレータ
１６３…補充回収部
１６４…補充リジェクト部
１７０…搬送機構
１９０…紙幣処理装置制御部
１９２…搬送制御部
１９４…除去紙幣識別実行部
２１０…明細票処理装置
２２０…通帳処理装置
２３０…硬貨処理装置
２４０…顧客操作部
２５０…係員操作部
３００…再計数紙幣投入部
３０１…紙幣付勢板
３０１ｍ…モーター
３０１ｂｐ…ボトム位置
３０１ｔｐ…トップ位置
３０２…開閉扉
３０４…搬送案内板
３０４ｓ…シリンダー
３０４ｎｐ…ノーマル位置
３０４ｔｐ…投入位置
３０８…搬送ローラー
３０９…搬送ローラー
３１０…搬送ローラー
３１１…搬送ローラー
３１２…定位置センサー
３１３…紙幣検知センサー
３２０…不明券保管カセット
３２１…紙幣通過孔
４００…本体制御部
５００…ホストコンピューター
５０１…エラーコード
５０２…係員第１指示
５０３…係員第２指示
５０４…復帰ボタン
５０５…枚数入力ボタン
５１０…係員指示
５１１…金種表示
５１２…枚数入力ボックス
５１３…枚数増減ボタン
５１…完了ボタン
５２０…４係員第１指示
５２２…係員第２指示
５２４…再計数ボタン
５２６…完了ボタン
Ｌ１〜Ｌ６…搬送路
ＪＳ…ジャム紙幣
【図１】
2014002521.tif 000003
【図２】
2014002521.tif 000004
【図３】
2014002521.tif 000005
【図４】
2014002521.tif 000006
【図５】
2014002521.tif 000007
【図６】
2014002521.tif 000008
【図７】
2014002521.tif 000009
【図８】
2014002521.tif 000010
【図９】
2014002521.tif 000011
【図１０】
2014002521.tif 000012
【図１１】
2014002521.tif 000013
【図１２】
2014002521.tif 000014
【図１３】
2014002521.tif 000015
【図１４】
2014002521.tif 000016
【図１５】
2014002521.tif 000017
【図１６】
2014002521.tif 000018
【図１７】
2014002521.tif 000019
【図１８】
2014002521.tif 000020